(57)【要約】【課題】従来の紙類等を展示するクリップやスタンドは、展示する紙類等にクリップの傷跡や嵩張るスタンドタイプで場所をとり、溝の幅がある為安定しない。また落下時に破損してしまう素材や設置に手間が掛かっていた。本発明は隙間なく挟み込め安定し場所を取らず、クリップの傷跡や破損の無い簡単手軽なクリップスタンドを提供する。【解決手段】軟質素材の裏側に空間部を有する半円球状の本体の上面に、紙類等を挟む為直線スリットを入れ差込口を設け、本体裏側内部に格子状のリブを設けたクリップスタンド。【選択図】図１
2020177202.tif 000002
【特許請求の範囲】
【請求項１】
軟質素材の裏側に空間部を有する半円球状の本体の上面に、紙類等を挟む為直線スリットを入れ差込口を設け、本体裏側内部に格子状のリブを設けたクリップスタンド。
【請求項２】
軟質素材の裏側に空間部を有する半円球状の本体の上面に、紙類等を挟む為曲線のスリットを入れ差込口を設け、本体裏側内部に格子状のリブを設けたクリップスタンド。
【発明の詳細な説明】
【技術分野】
【０００１】  本発明は、写真やポストカード及び飲食店等のメニュー表などの紙類等を挟むスタンドの形状が、半円球状となっておりスタンド底面から上部へ向かって前後左右が弓状になっている事を特徴としたクリップスタンドに関するものである。【０００２】  本発明は、スリット状の差込口となっているので紙類等を隙間なく挟め安定し、そして紙類等を差し込む際の開閉は大きな力を加えず、片手で簡単に行うことができる事を特徴としたクリップスタンドに関するものである。【０００３】  本発明は、差込口が広がった場合でも軟質素材を使用しているという点から、お湯に数分間浸すことにより、広がった差込口が収縮し再利用可能なことを特徴としたクリップスタンドに関するものである。
【背景技術】
【０００４】  従来の写真やポストカード及び飲食店等のメニュー表などの紙類等の展示の際は、保持するプレートとプレートを支えるスタンドの２つの道具が必要なものや、金具等のバネを使用して写真やポストカード及び飲食店等のメニュー表などの紙類等を挟んで展示するタイプがある。【０００５】    特許文献１は、「ピクチャースタンド」と称する写真立てを開示している。これは、写真類を挟んで装着保持することができ少なくとも正面（２）となる面が透明となる板状材を重ねて構成される写真保持体（１）と該写真保持体（１）の一片を嵌入して載置できる溝（５）と写真保持体（１）の裏面（３）を支持して傾斜を持たせる支持部（６）を有するスタンド（４）を組み合わせて構成されているものである。この特許文献１に記載されている「ピクチャースタンド」は写真保持体（１）を支持する台座に該写真保持体（１）の一片を嵌入して載置できる溝（５）が形成されていて、差込口はスリット状の形成ではない。【０００６】  特許文献２は、「台付クリップ」と称するクリップを開示している。これは、クリップ１の両クリップハーフ２，３のジョウ５は、ピンチ部６を掴むことにより衝合線Ｌに沿って互いに衝合・離反し、衝合時に紙７等を挟むようになっている。またヒンジピン４には付勢手段である捩じりコイル形のスプリング１２が巻着されているものである。この特許文献２に記載されている「台付クリップ」は付勢手段である捩じりコイル形スプリングがされていて、紙類にクリップを挟む際に幼児、高齢者等の力の弱い方には不向きである。
【先行技術文献】
【特許文献】
【０００７】
【特許文献１】実用新案登録  第３００９２３５号公報
【特許文献２】特開平８−３９９７８号公報
【発明の概要】
【発明が解決しようとする課題】
【０００８】  従来の写真やポストカード及び飲食店等のメニュー表などの紙類等のスタンドには次の  ような欠点があった。【０００９】イ、写真やポストカード及び飲食店等のメニュー表などの紙類等を挟んで展示するには、  それらを保持するプレートと、プレートを支えるスタンドの２つの道具が必要であり、  また、保持するにはプレートに挟み込む必要があり手間がかかる。本発明はこれらの問  題点を解決するものである。【００１０】ロ、写真やポストカード及び飲食店等のメニュー表などの紙類等を保持したプレートを置    くためのスタンドの溝は、プレートを置くために余裕を持たせて作られているので、    隙間がある。その為衝撃などでプレートがぐらつき安定しない。本発明はこれらの問    題点を解決するものである。【００１１】ハ、スタンドには背もたれが付いている為場所をとってしまう。
また誤って落下させてしまった場合硬質素材の為、衝撃等でひびが入り割れてしまう    。
本発明はこれらの問題点を解決するものである。【００１２】ニ、挟むタイプは長時間挟んでいると紙類等に跡がついてしまう。またバネを使用してい  ることから挟むのにある程度の力を加えなければならない。
本発明はこれらの問題点を解決するためになされたものである。
【課題を解決するための手段】
【００１３】  本発明によると上記課題は次のようにして解決される。
１、図に示されるように、軟質素材の半円球状の本体（１）上面（３）及び本体（１）の    裏側内部の前面（１４）から後面（１３）にかけてのリブ（４）の上部には紙類等（    ７）を挟む為の直線や曲線のスリット・差込口（２）を設ける。本体（１）前面（１    ４）から後面（１３）にかけてのリブ（４）を超える範囲で、直線や曲線のスリット    ・差込口（２）を設ける事が望ましい。【００１４】２、前記１項において、軟質素材の半円球状の本体（１）の形状を前面（１４）・後面（    １３）の底面から紙類等（７）を挟む為のスリット・差込口（２）部に向かって例え    ば４０度、また左側面（１１）・右側面（１２）の底面から紙類等（７）を挟む為の    スリット・差込口（２）部に向かって例えば３０度の弓状の形状にし本体（１）を設    ける。【００１５】３、前記１項または２項において軟質素材の半円球状の本体（１）裏側内部は、紙類等（    ７）を挟み込むスリット・差込口（２）の開閉を容易にする為、空間部（６）と本体    （１）前面（１４）から後面（１３）にかけてのリブ（４）と本体（１）左側面（１    １）から右側面（１２）にかけてのリブ（５）の格子を設ける。
【発明の効果】
【００１６】  本発明は、図に示されるように写真やポストカード及び飲食店等のメニュー表などの紙類等（７）を挟む部分が直線のスリット状（２）になっている為、本発明が紙類等（７）の挟む厚さに合わせて隙間なく挟め安定し、風などの刺激や衝撃等で挟んだ物が落ちることなく使用できる。【００１７】  本発明は、図に示されるように軟質素材の半円球状の本体（１）上面（３）のスリット・差込口（２）の形状を曲線にする事により、薄い一枚の紙類等（７）でも隙間なく挟み込み紙類等（７）が倒れる事無く自立し安定し、また紙類等（７）が湾曲となる事で、視認性が増し見やすく作業出来る。パソコン等での事務作業の際にデスクの周りに紙類等（７）を置く事無く、またスタンド等の背もたれ部分が不要であり場所を取らずに使用できる。【００１８】  本発明は、図に示されるように軟質素材の半円球状の本体（１）裏側内部を空間部（６）と本体（１）前面（１４）から後面（１３）にかけてのリブ（４）と本体（１）左側面（１１）から右側面（１２）にかけてのリブ（５）の格子形状となっている事で、開閉には大きな力が必要なく片手掌（９）で簡単にスリット・差込口（２）を開閉でき、開いたところへ紙類等（７）を差し込むという単純で手間もかからず簡単な作業で使用できる。【００１９】  本発明は、プレートや金属等のバネ素材を一切使用しない一体型軟質素材のクリップスタンドである為、長時間挟んでも跡がつくこと無く使用できる。【００２０】  本発明は、本体（１）を誤って落下させてしまった場合でも軟質素材を使用しているという点から衝撃等も少なく、ひびが入り割れたりすること無く使用できる。
【図面の簡単な説明】
【００２１】
【図１】本発明の上面図
【図２】本発明の図１の下面図
【図３】本発明の図１の前後側面図
【図４】本発明の図１の左右側面図
【図５】本発明の図８の右側面図
【図６】本発明の図４の掌でスリット・差込口を開いている図
【図７】本発明の図６の紙類等を差し込む時の図
【図８】本発明の曲線にしたスリット・差込口の上面図
【図９】本発明の図８の紙類等を挟んだ前面傾斜使用図
【図１０】本発明の図４の紙類等を挟んだ左右側面使用図
【図１１】本発明の図３の紙類等を挟んだ前面・後面使用図
【図１２】本発明の図１の左右Ａ−Ｂ線断面図
【図１３】本発明の図１の前後Ｃ−Ｄ線断面図
【発明を実施させるための形態】
【００２２】  以下、本発明の実施の形態を添付した図面を基にして説明する。
【００２３】イ、図１・図２・図３・図４に示すように、軟質素材の半円球状の本体（１）の形状を前    面（１４）・後面（１３）の底面から紙類等（７）を挟む為のスリット・差込口（２    ）部に向かって例えば４０度、また左側面（１１）・右側面（１２）の底面から紙類    等（７）を挟む為のスリット・差込口（２）部に向かって例えば３０度の弓状の形状    にし本体（１）を設ける。
【００２４】ロ、図１・図２・図３・図４・図５・図８・図９・図１０・図１１・図１２に示すように    、軟質素材の半円球状の本体（１）上面（３）及び本体（１）の裏側内部の前面（１    ４）から後面（１３）にかけてのリブ（４）の上部には紙類等（７）を挟む為の直線    や曲線のスリット・差込口（２）を設ける。本体（１）前面（１４）から後面（１３    ）にかけてのリブ（４）を超える範囲で、直線や曲線のスリット・差込口（２）を設    ける事が望ましい。
【００２５】ハ、図２・図１２・図１３に示すように、軟質素材の半円球状の本体（１）裏側内部は、    紙類等（７）を挟み込むスリット・差込口（２）の開閉を容易にする為、空間部（６    ）と本体（１）前面（１４）から後面（１３）にかけてのリブ（４）と本体（１）左    側面（１１）から右側面（１２）にかけてのリブ（５）を格子状に設ける。
【００２６】ニ、図１・図４・図６・図７・図１０・図１１・図１２に示すように、軟質素材の半円球  状の本体（１）の底面部分を掌（９）に乗せ、軟質素材の半円球状の本体（１）下面部  分の前面（１４）後面（１３）側面部の握り部（１０）を握ると軟質素材の半円球状の  本体（１）上面（３）及び本体（１）裏側内部前面（１４）から後面（１３）にかけて  のリブ（４）上部のスリット・差込口（２）が開き、開いた本体（１）上面（３）及び  リブ（４）の上部スリット・差込口（２）に紙類等（７）を差し込み、軟質素材の半円  球状の本体（１）下面部分の前面（１４）後面（１３）側面部の握り部（１０）を握っ  た掌（９）を元にもどすと、スリット・差込口（２）が閉じ、軟質素材の半円球状の本  体（１）上面（３）及び本体（１）裏側内部前面（１４）から後面（１３）にかけての  リブ（４）上部のスリット・差込口（２）に紙類等（７）を挟み込むよう設ける。
【００２７】ホ、図２・図１２・図１３に示すように、軟質素材の半円球状の本体（１）上面（３）本  体（１）裏側内部前面（１４）から後面（１３）にかけてのリブ（４）、本体（１）裏  側内部左側面（１１）から右側面（１２）にかけてのリブ（５）の厚みを一定に設ける  。
本発明は以上の構成よりなる。
【００２８】  本発明を使用するときは、図１・図６・図１２・図１３に示すように軟質素材の半円球状の本体（１）の底面部分を掌（９）に乗せ、軟質素材の半円球状の本体（１）下面部分の前面（１４）後面（１３）側面部の握り部（１０）を手指の内側面及び母指球面で握ることで、軟質素材の半円球状の本体（１）上面（３）及び本体（１）裏側内部前面（１４）から後面（１３）にかけてのリブ（４）上部のスリット・差込口（２）を開く事が出来る。
【００２９】  図６・図７に示すように開いた軟質素材の半円球状の本体（１）上面（３）及び本体（１）裏側内部前面
（１４）から後面（１３）にかけてのリブ（４）上部のスリット・差込口（２）に紙類等  （７）を差し込む。
【００３０】  図９・図１０・図１１に示すように手指の内側面及び母指球面で握った掌（９）を元にもどす事により、軟質素材の半円球状の本体（１）上面（３）及び本体（１）裏側内部前面（１４）から後面（１３）にかけてのリブ（４）上部のスリット・差込口（２）が閉じ、スリット・差込口（２）部に紙類等（７）が挟み込まれる。
【００３１】  軟質素材の半円球状の本体（１）の粘着性の材質等により、スリット・差込口（２）部が紙類等（７）をしっかりと安定し、更に紙類等（７）に挟み跡がつくことがなく挟み込むことができる。
【００３２】  本発明は複数枚の紙類等（７）を挟み込む場合、軟質素材の半円球状の本体（１）の下面部分の前面（１４）後面（１３）側面部の握り部（１０）を手指の内側面及び母指球面で握る際の力を大きくすることで、軟質素材の半円球状の本体（１）上面（３）及び本体（１）裏側内部前面（１４）から後面（１３）にかけてのリブ（４）上部のスリット・差込口（２）部分が更に大きく開き複数枚の紙類等（７）を差し込む事が出来る。
【００３３】  軟質素材の半円球状の本体（１）下面部分の前面（１４）後面（１３）側面部の握り部（１０）を握っている手指の内側面及び母指球面の手を元にもどすことにより、軟質素材の半円球状の本体（１）の粘着性の材質により、スリット・差込口（２）部が複数枚の紙類等（７）をしっかりと安定し、更に紙類等（７）に挟み跡がつくことがなくしっかりと安定し挟み込むことが出来る。
【００３４】  本発明を継続使用時に軟質素材の半円球状の本体（１）上面（３）及び本体（１）裏側内部前面（１４）から後面（１３）にかけてのリブ（４）上部のスリット・差込口（２）部分が広がってしまったら、人肌以上のお湯で数分間軟質素材の半円球状の本体（１）を浸す。
【００３５】  軟質素材の半円球状の本体（１）上面（３）及び本体（１）裏側内部前面（１４）から後面（１３）にかけてのリブ（４）、本体（１）裏側内部左側面（１１）から右側面（１２）にかけてのリブ（５）の素材と厚みが一定な事により、お湯に本体（１）を浸した時にお湯の熱温度が本体（１）へ均等に伝わり、お湯の熱温度が高温になれば成る程短時間に軟質素材の半円球状の本体（１）が収縮し、お湯の熱温度によりスリット・差込口（２）部分をほぼ元の状態に修復する事が出来ると共に、挟み込む際の安定を資する。
【符号の説明】
【００３６】１  本体    ２  スリット・差込口    ３  上面    ４  リブ    ５  リブ
６  空間部    ７  展示物    ８  デスク・置台    ９  掌    １０  握り部
１１  左側面    １２  右側面    １３  後面    １４  前面
【図１】
2020177202.tif 000003
【図２】
2020177202.tif 000004
【図３】
2020177202.tif 000005
【図４】
2020177202.tif 000006
【図５】
2020177202.tif 000007
【図６】
2020177202.tif 000008
【図７】
2020177202.tif 000009
【図８】
2020177202.tif 000010
【図９】
2020177202.tif 000011
【図１０】
2020177202.tif 000012
【図１１】
2020177202.tif 000013
【図１２】
2020177202.tif 000014
【図１３】
2020177202.tif 000015